(57)【特許請求の範囲】
【請求項１】
ユーザを一意に特定する被認証情報に基づいた認証処理結果に応じて、セキュリティ管理領域の入退室を管理する入退室管理システムと、前記セキュリティ管理領域に設置され利用制限機能を有する情報処理機器とを連携制御装置による制御により相互に連携させる連携制御システムであって、 
前記連携制御装置は、 
前記セキュリティ管理領域を特定する情報を入力する手段と、
前記セキュリティ管理領域の入退室用の扉を一意に特定する扉情報を、前記入退室管理システムで認証されたセキュリティ管理領域を特定する情報と対応付けて記憶する扉情報記憶手段と、 
前記情報処理機器を一意に特定し、前記情報処理機器の利用時になされる認証処理に用いられる機器情報を、前記入退室管理システムで認証されたセキュリティ管理領域を特定する情報と対応付けて記憶する機器情報記憶手段と、 
当該連携制御装置の動作モードが設定処理を実行する設定モードである場合に、 
前記セキュリティ管理領域の入退室が認証されたことに応じて前記入退室管理システムから送信される前記被認証情報、前記扉情報を含む入退室情報に基づき、前記入退室情報に含まれる扉情報を、前記入力する手段により入力された前記セキュリティ管理領域を特定する情報と関連付けて前記扉情報記憶手段に記憶させる設定処理、
または、前記情報処理機器の利用時になされる認証処理を要求する際に、前記情報処理機器から送信される認証要求情報に基づき、前記認証要求情報に含まれる機器情報を、前記入力する手段により入力された前記セキュリティ管理領域を特定する情報と関連付けて前記機器情報記憶手段に記憶させる設定処理を自動的に実行する設定処理手段とを備えること 
を特徴とする連携制御システム。
【請求項２】
前記連携制御装置は、前記入退室情報に含まれる被認証情報、または前記認証要求情報に含まれる被認証情報が、前記設定モードへ切り替えることを示す設定モード切替情報であったことに応じて、
前記設定モードへと当該連携制御装置の動作モードを切り替えるモード切替手段を備えること
を特徴とする請求項１記載の連携制御システム。
【請求項３】
前記連携制御装置の設定処理手段は、当該連携制御装置の動作モードが設定処理を実行する設定モードである場合に、
前記入退室情報を受信してから前記認証要求情報を受信したことに応じて、または、前記認証要求情報を受信してから前記入退室情報を受信したことに応じて、
設定する扉情報、または機器情報の設定対象となるセキュリティ管理領域を所定のルールに従って変更し、前記扉情報記憶手段、または機器情報記憶手段に対する設定処理を実行すること
を特徴とする請求項１又は請求項２記載の連携制御システム。
【請求項４】
前記連携制御装置の設定処理手段は、当該連携制御装置の動作モードが設定処理を実行する設定モードである場合、
前記扉情報記憶手段に扉情報を登録する扉情報登録処理、既に前記扉情報記憶手段に登録されている扉情報を削除する扉情報削除処理、前記機器情報記憶手段に機器情報を登録する機器情報登録処理、既に前記機器情報記憶手段に登録されている機器情報を削除する機器情報削除処理のいずれかを設定処理として実行すること
を特徴とする請求項１乃至請求項３のいずれか１項に記載の連携制御システム。
【請求項５】
前記連携制御装置の設定処理手段は、所定の時間内に同一の入退室情報を受信したことに応じて、前記入退室情報に含まれる扉情報が既に前記扉情報記憶手段に記憶されている場合には前記扉情報を削除し、
所定の時間内に同一の認証要求情報を受信したことに応じて、前記認証要求情報に含まれる機器情報が前記機器情報記憶手段に既に記憶されている場合には前記機器情報を削除すること
を特徴とする請求項４記載の連携制御システム。
【請求項６】
前記連携制御装置は、当該連携制御システムを利用するユーザを一意に特定し、前記セキュリティ管理領域の入退室時になされる認証処理に用いられる被認証情報を記憶する被認証情報記憶手段を備え、
前記設定処理手段は、前記入退室情報に含まれる被認証情報が、前記被認証情報記憶手段に記憶されていない場合に、前記被認証情報を前記被認証情報記憶手段に登録させるよう設定すること
を特徴とする請求項１乃至請求項５のいずれか１項に記載の連携制御システム。
【請求項７】
ユーザを一意に特定する被認証情報に基づいた認証処理結果に応じて、セキュリティ管理領域の入退室を管理する入退室管理システムと、前記セキュリティ管理領域に設置され利用制限機能を有する情報処理機器とを相互に連携させる連携制御システムが備える連携制御装置であって、
前記セキュリティ管理領域を特定する情報を入力する手段と、
前記セキュリティ管理領域の入退室用の扉を一意に特定する扉情報を、前記入退室管理システムで認証されたセキュリティ管理領域を特定する情報と対応付けて記憶する扉情報記憶手段と、
前記情報処理機器を一意に特定し、前記情報処理機器の利用時になされる認証処理に用いられる機器情報を、前記入退室管理システムで認証されたセキュリティ管理領域を特定する情報と対応付けて記憶する機器情報記憶手段と、
当該連携制御装置の動作モードが設定処理を実行する設定モードである場合に、
前記セキュリティ管理領域の入退室が認証されたことに応じて前記入退室管理システムから送信される前記被認証情報、前記扉情報を含む入退室情報に基づき、前記入退室情報に含まれる扉情報を、前記入力する手段により入力された前記セキュリティ管理領域を特定する情報と関連付けて前記扉情報記憶手段に記憶させる設定処理、
または、前記情報処理機器の利用時になされる認証処理を要求する際に、前記情報処理機器から送信される認証要求情報に基づき、前記認証要求情報に含まれる機器情報を、前記入力する手段により入力された前記セキュリティ管理領域を特定する情報と関連付けて前記機器情報記憶手段に記憶させる設定処理を自動的に実行する設定処理手段とを備えること
を特徴とする連携制御装置。
【発明の詳細な説明】
【技術分野】
【０００１】
本発明は、セキュリティ管理領域の入退室管理と、所定のセキュリティ管理領域内に設置された情報処理機器の利用管理とを連携して行う連携制御システム及び連携制御装置に関する。
【背景技術】
【０００２】
機密情報を扱うことの多い企業や、企業内の特定の部署などでは、機密情報を扱う従事者の入退室を管理する入退室管理システムを適用することで、機密情報の漏洩を事前に防止するようにしている。
【０００３】
一般に入退室管理システムは、ユーザに与えられたＩＣ（Integrated Circuit）カードに組み込まれたユーザＩＤ（IDentification）や、生体情報（指紋、虹彩、声紋など）といった、ユーザを一意に特定する情報を用いて入退室管理用のホストコンピュータにより個人認証を行い、登録された正当なユーザであることが認証された場合に、施錠された入退室用のドアを解錠することで、機密情報を扱うセキュリティ管理領域内への入室を許可する、というような管理を行っている。
【０００４】
このような入退室管理システムにおいては、当該入退室管理システムを運用稼働させる前に、正当なユーザを登録するユーザ登録作業を行う必要がある。しかしながら、このユーザ登録作業は、非常に煩雑な作業となるため容易な登録作業を行うための様々な手法が考案されている（例えば、特許文献１参照。）。
【特許文献１】特開平６−１０８７１７号公報
【発明の開示】
【発明が解決しようとする課題】
【０００５】
ところで、このような入退室管理システムと、機密情報を管理するネットワーク認証システムとを連携させた連携制御システムを構築することで、機密情報を扱う領域内への入退室時の認証処理と、入室後の情報処理機器の使用開始時の認証処理とを関連付ける手法が考案されている。このような手法によれば、入退室時の認証処理と、入室後の情報処理機器の使用開始時の認証処理との連携によりセキュリティをより強固にすることができるため、機密情報の漏洩をさらに防止することができる。
【０００６】
例えば、一般的なオフィス空間では、複写機能、ネットワークプリンティング機能、ＦＡＸ機能といった機能を複合的に有する情報処理機器として複合機が常設されている。このような複合機は、ユーザの利便性を考慮して、特に機密情報を扱うことのないセキュリティ非管理領域ばかりではなく、機密情報を常に扱うようなセキュリティ管理領域にも設置されている。
【０００７】
上述した複合機は、情報を手軽に紙媒体へ印刷することができたり、情報をＦＡＸ機能を利用して遠隔地へと転送したりすることができるため、特に、機密情報を扱うことの多いセキュリティ管理領域内での厳密な利用管理が求められている。
【０００８】
このように、入退室管理システムと、ネットワーク認証システムとを連携させた連携制御システムを構築した場合、当該連携制御システムを運用稼働させる前に、正当なユーザを登録するユーザ登録（設定）作業以外に、さらに、入退室管理システムにおける認証処理時に用いられるカードリーダの設定作業、各セキュリティ管理領域内に設置される情報処理機器の設定作業を実行する必要がある。
【０００９】
このような各種設定作業は、システム運営者側の設定者によるＰＣなどを用いたＷｅｂ画面入力やコマンドによる入力によって行われていたため、システムが大規模になればなるほど非常に煩雑な入力作業を強いられてしまうことから、入力ミスによるシステムエラーなどを頻繁に誘発してしまうといった問題があった。
【００１０】
そこで、本発明は、上述した実情に鑑みて提案されたものであり、運用稼働に必要となる設定作業を容易に実行することができる連携制御システム及び連携制御装置を提供することを目的とする。
【課題を解決するための手段】
【００１１】
本発明の連携制御システムは、ユーザを一意に特定する被認証情報に基づいた認証処理結果に応じて、セキュリティ管理領域の入退室を管理する入退室管理システムと、前記セキュリティ管理領域に設置され利用制限機能を有する情報処理機器とを連携制御装置による制御により相互に連携させる連携制御システムであって、前記連携制御装置が、前記セキュリティ管理領域を特定する情報を入力する手段と、前記セキュリティ管理領域の入退室用の扉を一意に特定する扉情報を、前記入退室管理システムで認証されたセキュリティ管理領域を特定する情報と対応付けて記憶する扉情報記憶手段と、前記情報処理機器を一意に特定し、前記情報処理機器の利用時になされる認証処理に用いられる機器情報を、前記入退室管理システムで認証されたセキュリティ管理領域を特定する情報と対応付けて記憶する機器情報記憶手段と、当該連携制御装置の動作モードが設定処理を実行する設定モードである場合に、前記セキュリティ管理領域の入退室が認証されたことに応じて前記入退室管理システムから送信される前記被認証情報、前記扉情報を含む入退室情報に基づき、前記入退室情報に含まれる扉情報を、前記入力する手段により入力された前記セキュリティ管理領域を特定する情報と関連付けて前記扉情報記憶手段に記憶させる設定処理、または、前記情報処理機器の利用時になされる認証処理を要求する際に、前記情報処理機器から送信される認証要求情報に基づき、前記認証要求情報に含まれる機器情報を、前記入力する手段により入力された前記セキュリティ管理領域を特定する情報と関連付けて前記機器情報記憶手段に記憶させる設定処理を自動的に実行する設定処理手段とを備える。
【００１２】
また、本発明の連携制御システムは、前記連携制御装置が、前記入退室情報に含まれる被認証情報、または前記認証要求情報に含まれる被認証情報が、前記設定モードへ切り替えることを示す設定モード切替情報であったことに応じて、前記設定モードへと当該連携制御装置の動作モードを切り替えるモード切替手段を備える。
【００１４】
また、本発明の連携制御システムは、前記連携制御装置の設定処理手段が、当該連携制御装置の動作モードが設定処理を実行する設定モードである場合に、前記入退室情報を受信してから前記認証要求情報を受信したことに応じて、または、前記認証要求情報を受信してから前記入退室情報を受信したことに応じて、設定する扉情報、または機器情報の設定対象となるセキュリティ管理領域を所定のルールに従って変更し、前記扉情報記憶手段、または機器情報記憶手段に対する設定処理を実行することを特徴とする。
【００１５】
また、本発明の連携制御システムは、前記連携制御装置の設定処理手段が、当該連携制御装置の動作モードが設定処理を実行する設定モードである場合、前記扉情報記憶手段に扉情報を登録する扉情報登録処理、既に前記扉情報記憶手段に登録されている扉情報を削除する扉情報削除処理、前記機器情報記憶手段に機器情報を登録する機器情報登録処理、既に前記機器情報記憶手段に登録されている機器情報を削除する機器情報削除処理のいずれかを設定処理として実行することを特徴とする。
【００１６】
また、本発明の連携制御システムは、所定の時間内に同一の入退室情報を受信したことに応じて、前記入退室情報に含まれる扉情報が既に前記扉情報記憶手段に記憶されている場合には前記扉情報を削除し、所定の時間内に同一の認証要求情報を受信したことに応じて、前記認証要求情報に含まれる機器情報が前記機器情報記憶手段に既に記憶されている場合には前記機器情報を削除することを特徴とする。
【００１７】
また、本発明の連携制御システムは、前記連携制御装置が、当該連携制御システムを利用するユーザを一意に特定し、前記セキュリティ管理領域の入退室時になされる認証処理に用いられる被認証情報を記憶する被認証情報記憶手段を備え、前記設定処理手段が、前記入退室情報に含まれる被認証情報が、前記被認証情報記憶手段に記憶されていない場合に、前記被認証情報を前記被認証情報記憶手段に登録させるよう設定することを特徴とする。
【００１８】
また、本発明の連携制御装置は、ユーザを一意に特定する被認証情報に基づいた認証処理結果に応じて、セキュリティ管理領域の入退室を管理する入退室管理システムと、前記セキュリティ管理領域に設置され利用制限機能を有する情報処理機器とを相互に連携させる連携制御システムが備える連携制御装置であって、前記セキュリティ管理領域を特定する情報を入力する手段と、前記セキュリティ管理領域の入退室用の扉を一意に特定する扉情報を、前記入退室管理システムで認証されたセキュリティ管理領域を特定する情報と対応付けて記憶する扉情報記憶手段と、前記情報処理機器を一意に特定し、前記情報処理機器の利用時になされる認証処理に用いられる機器情報を、前記入退室管理システムで認証されたセキュリティ管理領域を特定する情報と対応付けて記憶する機器情報記憶手段と、  当該連携制御装置の動作モードが設定処理を実行する設定モードである場合に、前記セキュリティ管理領域の入退室が認証されたことに応じて前記入退室管理システムから送信される入退室情報に基づき、前記入退室情報に含まれる扉情報を、前記入力する手段により入力された前記セキュリティ管理領域を特定する情報と関連付けて前記扉情報記憶手段に記憶させる設定処理、または、前記情報処理機器の利用時になされる認証処理を要求する際に、前記情報処理機器から送信される認証要求情報に基づき、前記認証要求情報に含まれる機器情報を、前記入力する手段により入力された前記セキュリティ管理領域を特定する情報と関連付けて前記機器情報記憶手段に記憶させる設定処理を自動的に実行する設定処理手段とを備えることを特徴とする。
【発明の効果】
【００１９】
本発明によれば、連携制御装置の動作モードを設定モードとした場合に、入退室管理システムから送信される入退室情報に含まれる扉情報、情報処理機器から送信される認証要求情報に含まれる機器情報を自動的に設定処理して、扉情報、機器情報の設定を実行することができるため、システム設定者による煩雑な入力作業をする必要がなく、容易に設定作業を行うことができるため、入力ミスによるシステムエラーなどを回避することを可能とする。
【００２０】
また、本発明によれば、連携制御装置の動作モードを運用モードから設定モードへと設定処理の現場にて切り替えることができるため、連携制御装置の設定作業をさらに容易なものとすることを可能とする。
【００２２】
また、本発明によれば、設定情報を設定する設定対象となるセキュリティ管理領域を変更する特殊な情報記憶担体をわざわざ用意しなくとも、設定情報を設定する設定対象となるセキュリティ管理領域を容易に変更することを可能とする。
【００２３】
また、本発明によれば、扉情報、機器情報といった設定情報の登録設定のみならず、削除設定も実行できるため、誤って登録設定した情報をいつでも容易に削除することを可能とする。
【００２４】
また、本発明によれば、一旦登録された設定情報を削除する場合に、登録時と同様の処理動作をわざわざ実行することなく、迅速に削除処理を実行することを可能とする。
【００２５】
また、本発明によれば、不正なユーザの登録を防止することを可能にするとともに、新規ユーザのユーザ登録を非常に簡便な手法で実現することを可能とする。
【発明を実施するための最良の形態】
【００２６】
以下、本発明の実施の形態について図面を参照して説明する。
【００２７】
［連携制御システムの構成］
まず、図１、図２を用いて、本発明の実施の形態として示す連携制御システム１の構
成について説明をする。図１に示すように、連携制御システム１は、入室用カードリーダ１１、退室用カードリーダ１２、コントロールユニット１３からなり、機密情報などを扱うことのないセキュリティレベルの低い領域（セキュリティ非管理領域）から、機密情報などを扱うセキュリティレベルの高い領域（セキュリティ管理領域）への出入を管理する入退室管理システム２と、セキュリティ管理領域に設置された複合機２１とが、連携制御装置３０によって相互に接続されて構成されている。
【００２８】
入退室管理システム２は、セキュリティ管理領域への入室を希望するユーザ全てに対して認証処理を行い、あらかじめ登録された正当なユーザのみを認証してセキュリティ管理領域への入室を許可する。また、入退室管理システム２は、必要に応じてセキュリティ管理領域から退室を希望するユーザに対して認証処理を行い、セキュリティ管理領域からの退室を許可する。セキュリティ非管理領域とセキュリティ管理領域間、相異なるセキュリティレベルのセキュリティ管理領域間は、電気的な作用により施錠、解錠することができる電気錠を備える扉（ドア）によって隔てられている。
【００２９】
具体的には、図２に示すように、入退室管理システム２は、入室用カードリーダ１１により、ユーザが所有するＩＣカード（Integrated Circuit）３の半導体メモリ内に格納された情報を接触又は非接触にて読み取り、読み取った情報のうちの被認証情報であるカードＩＤをコントロールユニット１３が正当なユーザであると認証した場合に、コントロールユニット１３の制御により施錠されていた電気錠を解錠することで、セキュリティ管理領域への入室を許可する。
【００３０】
また、入退室管理システム２は、セキュリティ管理領域からの退室時には、セキュリティ管理領域内に設けられた退室用カードリーダ１２により、ＩＣカード３の上述した情報を読み取り、正当なユーザであるとコントロールユニット１３が認証した場合に、コントロールユニット１３の制御により施錠されていた電気錠を解錠することで、セキュリティ管理領域からの退室を許可する。
【００３１】
図２では、セキュリティ非管理領域、セキュリティ管理領域のセキュリティレベルをセキュリティレベルの低い方から高い順にレベル０（Ｌｖ０）、レベル１（Ｌｖ１）、レベル２（Ｌｖ２）として区分している。セキュリティレベルの最も低いレベル０をセキュリティ非管理領域とし、レベル１以上をセキュリティ管理領域としている。なお、入退室の概念は、セキュリティ非管理領域と、セキュリティ管理領域とのどちらを中心にして考えるかで異なってくるため、セキュリティレベルの低い領域から高い領域へ向かう移動を入室とし、セキュリティレベルの高い領域から低い領域へと向かう移動を退室とする。
【００３２】
入退室管理システム２は、このような認証処理により、施錠された電気錠を解錠する場合には、ユーザが所有するＩＣカード３に格納された情報のうち、ＩＣカード３を一意に特定するカードＩＤと、解錠した扉に固有の扉ＩＤと、入室か退室かを示す情報とをコントロールユニット１３から後述する連携制御装置３０に送信する。入室か退室かを示す情報は、例えば、入室用カードリーダ１１又は退室用カードリーダ１２をそれぞれ一意に特定する機器ＩＤで示すようにしてもよい。なお、以下において、扉ＩＤと、入室か退室かを示す情報とは、セットで用いられるため、これらを総称する場合には単に扉情報と呼ぶ。
【００３３】
複合機２１は、複写機能、ネットワークプリンティング機能、ＦＡＸ機能、スキャナ機能といった最終的に紙媒体への印刷を実行する機能を複合的に有した情報処理機器である。図２に示すように複合機２１は、セキュリティ管理領域に設置され、連携制御装置３０による認証処理により利用許可が与えられた場合に利用可能となる（利用制限機能）。複合機２１は、セキュリティ管理領域だけなく、セキュリティ非管理領域に設置するようにしてもよい。
【００３４】
複合機２１には、当該複合機２１が設置されたセキュリティ管理領域へと移動したユーザが所有するＩＣカード３の半導体メモリ内に格納された情報を読み取る複合機用カードリーダ２２が接続されている。複合機用カードリーダ２２は、ＩＣカード３に格納された情報を読み取り、読み取った情報のうち被認証情報であるカードＩＤを複合機２１に送信する。
【００３５】
複合機２１は、このカードＩＤを受信すると、自身を一意に特定する識別情報である複合機ＩＤ（複合機情報）と共にカードＩＤを連携制御装置３０に送信する。このカードＩＤと複合機ＩＤとを受信したことに応じて、連携制御装置３０は、複合機２１に利用許可を与えるための認証処理を開始することになる。複合機ＩＤは、例えば、複合機２１のＩＰアドレスなどとすることができる。
【００３６】
また、複合機２１にはＰＣ２３が接続されており、このＰＣ２３を介して、ユーザは、連携制御装置３０により当該複合機２１に対して利用許可がなされた場合に、複合機２１のネットワークプリンティング機能、ＦＡＸ機能、スキャナ機能を利用するため指示を入力することができる。
【００３７】
続いて、図３を用いて、連携制御装置３０の構成について説明をする。図３に示すように、連携制御装置３０は、入退室情報受信Ｉ／Ｆ（インターフェース）３１と、認証情報送受信Ｉ／Ｆ（インターフェース）３２と、運用・設定切替部３３と、情報書込判断部３４と、認証処理部３５と、データベース３６とを備えている。
【００３８】
連携制御装置３０は、入退室管理システム２のコントロールユニット１３により所定のセキュリティ管理領域、セキュリティ非管理領域への移動が認証されたことに応じて、認証されたユーザの所定のセキュリティ管理領域、セキュリティ非管理領域での滞在状況を更新することで、入退室管理システム２と複合機２１とを連携制御する連携制御装置として機能する。
【００３９】
連携制御装置３０は、入退室管理システム２から送信される入退室情報を用いて、セキュリティ非管理領域からセキュリティ管理領域への移動などといった入退室管理システム２におけるユーザの入退室状態の変化を把握し、このユーザの入退室状態の変化に応じて複合機２１の利用を許可するかどうか判断する。
【００４０】
入退室情報受信Ｉ／Ｆ３１は、入退室管理システム２と連携制御装置３０とを接続するための通信インターフェースである。入退室情報受信Ｉ／Ｆ３１を介した入退室管理システム２と連携制御装置３０との通信は、例えば、Ｅｔｈｅｒｎｅｔ（登録商標）などの通信規格を利用することができる。また、入退室情報受信Ｉ／Ｆ３１を介した入退室管理システム２と連携制御装置３０との通信は、ＴＣＰ／ＩＰベースの通信に限らず、非ＩＰのフィールドバスなどを利用することもできる。連携制御装置３０は、入退室情報受信Ｉ／Ｆ３１を介して、入退室管理システム２のコントロールユニット１３によってユーザの認証がなされた際に送信されるカードＩＤ、扉情報を含む入退室情報を受信する。
【００４１】
認証情報送受信Ｉ／Ｆ３２は、連携制御装置３０と、複合機２１との通信を行うための通信インターフェースである。連携制御装置３０は、認証情報送受信Ｉ／Ｆ３２を介して、複合機２１から認証処理の開始を要求する認証処理要求として送信されるカードＩＤ、複合機ＩＤを含む認証要求情報を受信する。
【００４２】
運用・設定切替部３３は、入退室管理システム２によって認証されたユーザの所定のセキュリティ管理領域、セキュリティ非管理領域における入退室状態の変化の把握処理や複合機２１の利用時になされる認証処理といった通常動作を行う運用モード、当該連携制御システム１を運用するにあたり事前に必要となる各種設定情報の登録や削除といったデータベース３６の設定処理を実行する設定モードとを切り替える機能部である。
【００４３】
具体的に、設定情報とは、当該連携制御システム１を利用するユーザが保持するＩＣカード３のカードＩＤ、セキュリティ管理領域の入退室用の扉を一意に特定する扉情報、複合機２１を一意に特定する複合機ＩＤなどである。
【００４４】
情報書込判断部３４は、当該連携制御装置３０を設定モードとした際に、各種設定情報の登録や削除といった判断を行い、データベース３６の設定処理を実行する。
【００４５】
認証処理部３５は、複合機２１から送信される認証要求情報に含まれるカードＩＤをキーとしてデータベース３６のユーザ在室状態記憶部３６Ｃに記憶されているユーザの在室状態を示す情報を参照し認証処理を実行する。認証処理部３５は、認証処理を実行した結果、入退室管理システム２で認証された正当なユーザによる複合機２１の利用要求であると判断した場合には、複合機２１に利用許可を与える。
【００４６】
データベース３６は、連携制御装置３０で利用する各種情報を記憶するデータベースであり、カード情報記憶部３６Ａ、設定用カード情報記憶部３６Ｂ、ユーザ在室状態記憶部３６Ｃ、部屋情報記憶部３６Ｄ、扉情報記憶部３６Ｅ、機器設定記憶部３６Ｆとを備えている。
【００４７】
カード情報記憶部３６Ａは、連携制御システム１を利用するあらかじめ登録されたユーザが保持しているＩＣカード３を一意に特定する識別番号であり、被認証情報であるカードＩＤを記憶している。なお、このカードＩＤは、ユーザがＰＣ２３を操作して複合機２１を使用する際に複合機２１に送信するアカウントＩＤなども含んでいるものとする。
【００４８】
設定用カード情報記憶部３６Ｂは、運用モードから設定モードへと切り替える際に使用される設定用カードを一意に特定する識別情報である設定用カードＩＤを記憶している。設定用カードＩＤは、データベース３６に設定する設定情報をデータベース３６に登録するか削除するかを示す情報を含んでいる。つまり、設定用カードには、設定情報をデータベース３６に登録する際に用いられる登録用設定カードと、設定情報をデータベース３６から削除する際に用いられる削除用設定カードとがある。
【００４９】
また、設定用カード情報記憶部３６Ｂには、設定情報のうちセキュリティ管理領域ごとの設定を必要とする扉情報、複合機ＩＤを設定する際に、複数あるセキュリティ管理領域を切り替えるための部屋変更用カードを一意に特定する識別情報である部屋変更用カードＩＤも記憶されている。
【００５０】
ユーザ在室状態記憶部３６Ｃは、入退室管理システム２において認証処理がなされ扉の状態変化（閉状態→開状態）があったときに通知される入退室情報に含まれるカードＩＤを、入退室情報に含まれる扉情報をもとに、移動したユーザが現在在室しているセキュリティ管理領域と対応付けて記憶する。
【００５１】
部屋情報記憶部３６Ｄは、当該連携制御システム１において管理されるセキュリティ管理領域となる部屋に関する情報を記憶する。
【００５２】
扉情報記憶部３６Ｅは、各部屋、つまりセキュリティ管理領域を隔てる物理的な扉を一意に特定する情報である扉ＩＤをセキュリティ管理領域と対応付けて記憶する。このとき扉ＩＤには、入退室か退室かを示す情報として、例えば、入室用カードリーダ１１又は退室用カードリーダ１２をそれぞれ一意に特定する機器ＩＤも対応付けて記憶される。
【００５３】
機器設定記憶部３６Ｆは、複合機２１からの認証要求情報の送受信に必要となるＩＰアドレス、複合機ＩＤ、複合機ＩＤと対応付けられた認証通信用パスワードなどを記憶する。なお、ここで、ＩＰアドレスと複合機ＩＤとは同じ値として設定することもできる。
【００５４】
［設定情報の設定処理］
このような構成の連携制御装置３０は、設定モードにおいて、当該連携制御システム１を運用するにあたり事前に必要となる各種設定情報の登録や削除といったデータベース３６の設定処理を実行することができる。
【００５５】
（カードＩＤ、扉情報の設定）
図４は、連携制御装置３０が、カードＩＤ、扉情報をデータベース３６に設定する際の処理動作を簡単に示したタイミングチャートである。また、図５は、扉情報をデータベース３６に設定する際に用いられる、連携制御装置３０に接続された図示しないＰＣに表示されるＷｅｂ画面の一例を示した図である。システム設定者は、図５に示すＷｅｂ画面を参照しながら、各セキュリティ管理領域に対応する扉情報を設定していくことになる。
【００５６】
まず、カードＩＤ、扉情報をデータベース３６に設定するにあたり、システム設定者は、連携制御装置３０の運用・設定切替部３３に指示を出し、動作モードを設定モードへと切り替える。次に、図５（ａ）に示すＷｅｂ画面の領域Ｆ１の部屋名称に設定対象となるセキュリティ管理領域を特定する部屋名称を入力する。そして、Ｗｅｂ画面の領域Ｆ２の扉情報設定において、扉情報記憶部３６Ｅに新たに扉情報を登録する登録設定をするのか、既に扉情報記憶部３６Ｅに記憶されている扉情報を削除する削除設定をするのかを指定する。ここでは、登録設定が選択されたものとする。
【００５７】
そして、システム設定者は、自身が所持するＩＣカード３を、特定したセキュリティ管理領域である部屋Ａに設けられたいずれかの扉の入室用カードリーダ１１、または退室用カードリーダ１２に翳す。
【００５８】
入室用カードリーダ１１、または退室用カードリーダ１２にＩＣカード３が翳されると、入退室管理システム２のコントロールユニット１３は、ＩＣカード３から読み出されたカードＩＤの認証処理を実行し、認証がなされたことに応じて、図４に示すようにカードＩＤ、扉情報を含む入退室情報を入退室情報受信Ｉ／Ｆ３１を介して連携制御装置３０に送信する（ステップＳ１）。連携制御装置３０に送信された入退室情報は、当該連携制御装置３０が設定モードであることに応じて情報書込判断部３４に渡される（ステップＳ２、ステップＳ３）。
【００５９】
情報書込判断部３４は、送信されたカードＩＤ、扉情報を登録するのか、扉情報を削除するのかを判断して、データベース３６に対する設定処理を実行する（ステップＳ４）。
【００６０】
例えば、扉情報に関しては、図５（ａ）に示すように登録することが指定されているので、情報書込判断部３４は、取得した扉情報を部屋Ａに関連付けてデータベース３６の扉情報記憶部３６Ｅに書き込み、登録をする。設定モード中は、図５（ｂ）に示すように、図示しないＰＣに表示されるＷｅｂ画面の領域Ｆ２には、扉情報を記録中である旨を示すメッセージが表示される。そして、情報書込判断部３４による扉情報記憶部３６Ｅに対する書き込み処理が行われ、システム設定者による設定作業が完了すると、図５（ｃ）に示すように、領域Ｆ２に、扉ＩＤ（ＤＮＯ）と、名称と、機器ＩＤで特定される入退室種別とが入室条件として設定された旨を示す情報が表示される
（複合機ＩＤの設定）
図６は、連携制御装置３０が、複合機ＩＤをデータベース３６に設定する際の処理動作を簡単に示したタイミングチャートである。
【００６１】
まず、複合機ＩＤをデータベース３６に設定するにあたり、システム設定者は、連携制御装置３０の運用・設定切替部３３に指示を出し動作モードを設定モードへと切り替える。
【００６２】
そして、システム設定者は、自身が所持するＩＣカード３を複合機用カードリーダ２２に翳す。
【００６３】
複合機用カードリーダ２２は、翳されたＩＣカード３からカードＩＤを読み出し、複合機２１に送信する。複合機２１は、送信されたカードＩＤと、自身を一意に特定する複合機ＩＤとを含む認証要求情報を認証情報送受信Ｉ／Ｆ３２を介して連携制御装置３０に送信する（ステップＳ１１、ステップＳ１２）。連携制御装置３０に送信された認証要求情報は、当該連携制御装置３０が設定モードであることに応じて情報書込判断部３４に渡される（ステップＳ１３）。
【００６４】
情報書込判断部３４は、送信された認証要求情報に含まれる複合機ＩＤを登録するのか、削除するのかを判断して、データベース３６に対する設定処理を実行する（ステップＳ１４）。
【００６５】
このようにして、データベース３６の扉情報記憶部３６Ｅ、機器設定記憶部３６Ｆには、図７に示すように、セキュリティ管理領域を特定する部屋名称に対応付けて、それぞれ、扉情報と、複合機ＩＤとが記憶される。
【００６６】
図７に示すように、扉情報は、例えば８桁の数字で示される扉ＩＤと、入室用カードリーダ１１、退室用カードリーダ１２の機器ＩＤで示される入側か退側かを表すフラグとからなり、入室条件カードリーダ、退室条件カードリーダ毎に、扉情報記憶部３６Ｅに記憶される。また、図７に示すように、複合機ＩＤとして、複合機２１のＩＰアドレスを機器設定記憶部３６Ｆに記憶する。
【００６７】
（カードＩＤ、扉情報の詳細な設定処理動作）
続いて、図８に示すフローチャートを用いて、連携制御装置３０が、カードＩＤ、扉情報をデータベース３６に設定する際の処理動作について詳細に説明をする。
【００６８】
まず、連携制御装置３０は、入退室管理システム２から送信される入退室情報を受信すると（ステップＳ２１）、現在の動作モードが設定モードであるかどうかを判断する（ステップＳ２２）。現在の動作モードが設定モードである場合には、ステップＳ２７へと処理を進める一方、設定モードでない場合には、運用モードであるとして、ステップＳ２３へと処理を進める。
【００６９】
現在の動作モードが運用モードであることに応じて、連携制御装置３０は、入退室情報に含まれるカードＩＤが、カード情報記憶部３６Ａに登録されているかどうかを判断し（ステップＳ２３）、登録されている場合には、入退室情報に含まれる扉情報からセキュリティ管理領域への入室か退室か判断する（ステップＳ２４）。連携制御装置３０は、カードＩＤが、カード情報記憶部３６Ａに登録されていない場合には、ステップＳ２１へと処理を戻す。
【００７０】
連携制御装置３０は、入室であると判断した場合には、対象となるユーザが入室状態である旨をユーザ在室状態記憶部３６Ｃに記憶させ（ステップＳ２５）、退室であると判断した場合には、対象となるユーザが退室状態である旨をユーザ在室状態記憶部３６Ｃに記憶させる（ステップＳ２６）。
【００７１】
現在の動作モードが設定モードであることに応じて、連携制御装置３０は、入退室情報に含まれるカードＩＤが、カード情報記憶部３６Ａに登録されているかどうかを判断する（ステップＳ２７）。
【００７２】
カードＩＤが登録されてない場合、情報書込判断部３４によって、カード情報記憶部３６Ａに登録される（ステップＳ２８）。このカードＩＤは、入退室管理システム２によって認証処理がなされているため、入退室管理システム２おける正当なユーザが保持するＩＣカード３から読み取られたカードＩＤであるといえる。したがって、設定モードにおいて、このようなカードＩＤが、入退室管理システム２から入退室情報として送信され、データベース３６へ未登録であった場合、このカードＩＤを当該連携制御装置３０で管理し、複合機２１の利用を許可する正当なユーザとして新たに登録することができる。
【００７３】
このようにしてユーザ登録をした場合、登録されるカードＩＤが、入退室管理システム２で認証処理がなされたユーザを一意に特定する被認証情報であることから、不正なカードＩＤの登録を防止することができるとともに、新規ユーザのユーザ登録を非常に簡便な手法で実現することができる。
【００７４】
カードＩＤが登録されている場合、設定用カード情報記憶部３６Ｂを参照し、このカードＩＤが、設定対象となるセキュリティ管理領域である部屋を変更するための特殊なカードである部屋変更用カードのカードＩＤであるかどうかを判断する（ステップＳ２９）。
【００７５】
部屋変更用カードのカードＩＤであった場合には、設定対象となるセキュリティ管理領域である部屋を変更し（ステップＳ３０）、ステップＳ２１へと処理を戻す。
【００７６】
一方、部屋変更用カードのカードＩＤでなかった場合には、当該連携制御装置３０の設定モードが扉情報を登録するモードか、削除するモードかを判断する（ステップＳ３１）。
【００７７】
扉情報を登録するモードの場合、まず扉情報が扉情報記憶部３６Ｅに登録されているかどうかを判断し（ステップＳ３２）、既に登録されてる場合にはステップＳ２１へと処理を戻す一方、まだ登録されていない場合には扉情報に含まれる入室か退室かを示す情報を解析して（ステップＳ３３）、扉情報記憶部３６Ｅに登録してデータベース３６を更新する（ステップＳ３４）。
【００７８】
これに対し、扉情報を削除するモードの場合、まず扉情報が扉情報記憶部３６Ｅに登録されているかどうかを判断し（ステップＳ３５）、まだ登録されていない場合にはステップＳ２１へと処理を戻す一方、既に登録されている場合には扉情報を扉情報記憶部３６Ｅから削除する。
【００７９】
なお、この図８に示すフローチャートにおいて、ステップＳ２７、ステップＳ２８の処理ステップを省いても、連携制御装置３０は、扉情報をデータベース３６に設定することができる。例えば、入退室管理システム２にて認証されたどのようなＩＣカード３を用いたとしても、連携制御装置３０は、ステップＳ２２にて設定モードであると判断されたことに応じて、ステップＳ２９を経てステップＳ３１へと進んだ場合、扉情報の登録、または削除といった設定処理を容易に実行することができる。
【００８０】
（複合機ＩＤの詳細な設定処理動作）
続いて、図９に示すフローチャートを用いて、連携制御装置３０が、複合機ＩＤをデータベース３６に設定する際の処理動作について詳細に説明をする。
【００８１】
まず、連携制御装置３０は、複合機２１から送信される認証要求情報を受信すると（ステップＳ４１）、現在の動作モードが設定モードであるかどうかを判断する（ステップＳ４２）。現在の動作モードが設定モードである場合には、ステップＳ４８へと処理を進める一方、設定モードでない場合には、運用モードであるとして、ステップＳ４３へと処理を進める。
【００８２】
現在の動作モードが運用モードであることに応じて、連携制御装置３０は、認証要求情報に含まれる複合機ＩＤが、機器設定記憶部３６Ｆに登録されているかどうかを判断し（ステップＳ４３）、登録されている場合には、認証要求情報に含まれるカードＩＤが、カード情報記憶部３６Ａに登録されているかどうかをさらに判断する（ステップＳ４４）。
【００８３】
カードＩＤが、カード情報記憶部３６Ａに登録されている場合には、複合機ＩＤをキーとして、機器設定記憶部３６Ｆを参照することで、セキュリティ管理領域を特定し、さらに、カードＩＤをキーとしてユーザ在室状態記憶部３６Ｃを参照することで、特定したセキュリティ管理領域にカードＩＤで特定されるユーザが入室しているかどうかを判断する（ステップＳ４５）。
【００８４】
該当するユーザが、認証要求情報を送信してきた複合機２１が設置されているセキュリティ管理領域に入室している場合、認証処理が成功したとして、複合機２１に利用許可与え（ステップＳ４６）、そうでない場合には、認証処理が失敗したとしてその旨を複合機２１に対して応答する（ステップＳ４７）。また、ステップＳ４３で機器設定記憶部３６Ｆに複合機ＩＤが登録されていないと判断された場合、ステップＳ４４でカード情報記憶部３６ＡにカードＩＤが登録されていないと判断された場合にも、認証処理が失敗したとしてステップＳ４７へと処理を進める。
【００８５】
また、連携制御装置３０は、当該連携制御装置３０の設定モードが複合機ＩＤを登録するモードか、削除するモードかを判断する（ステップＳ４８）。
【００８６】
複合機ＩＤを登録するモードの場合、設定用カード情報記憶部３６Ｂを参照し、このカードＩＤが、設定対象となるセキュリティ管理領域である部屋を変更するための特殊なカードである部屋変更用カードのカードＩＤであるかどうかを判断する（ステップＳ４９）。
【００８７】
部屋変更用カードのカードＩＤであった場合には、設定対象となるセキュリティ管理領域である部屋を変更し（ステップＳ５０）、ステップＳ４１へと処理を戻す。
【００８８】
一方、部屋変更用カードのカードＩＤでなかった場合には、まず複合機ＩＤが機器設定記憶部３６Ｆ登録されているかどうかを判断し（ステップＳ５１）、既に登録されている場合にはステップＳ４１へと処理を戻す一方、まだ登録されいない場合には複合機ＩＤを機器設定記憶部３６Ｆに登録してデータベース３６を更新する（ステップＳ５２）
これに対し、複合機ＩＤを削除するモードの場合、まず複合機ＩＤが機器設定記憶部３６Ｆに登録されているかどうかを判断し（ステップＳ５３）、まだ登録されていない場合にはステップＳ４１へと処理を戻す一方、既に登録されている場合には複合機ＩＤを機器設定記憶部３６Ｆから削除する（ステップＳ５４）。
【００８９】
このように、連携制御システム１の連携制御装置３０は、当該連携制御装置３０の動作モードを設定モードとした場合に、入退室管理システム２から送信される入退室情報に含まれる扉情報、複合機２１から送信される認証要求情報に含まれる複合機ＩＤを自動的に設定処理して、扉情報、複合機ＩＤの設定を実行することができるため、システム設定者による煩雑な入力作業をする必要がなく、容易に設定作業を行うことができるため、入力ミスによるシステムエラーなどを回避することができる。
【００９０】
また、連携制御装置３０は、扉情報、複合機ＩＤといった設定情報の登録設定のみならず、削除設定も実行できるため、誤って登録設定した情報をいつでも容易に削除することができる。
【００９１】
また、部屋変更用カードを用いることで、設定情報の設定対象となるセキュリティ管理領域である部屋を設定処理の現場にて切り替えることができるため、連携制御装置３０の設定作業をさらに容易なものとすることができる。
【００９２】
［設定用カードによる設定モードへの切り替え処理］
上述したように、連携制御装置３０の動作モードである運用モード、設定モードの切り替え処理は、システム設定者による操作により手動で行っていた。これに対し、連携制御装置３０の動作モードを運用モードから設定モードへと自動的に切り替えることができる設定用カードを用いて、データベース３６に設定する設定情報を更新することもできる。
【００９３】
このような設定用カードを用いるには、設定用カード情報記憶部３６Ｂに対して、設定用カードに記憶されている設定用カードを一意に特定する識別情報である設定用カードＩＤを事前に登録しておく必要がある。
【００９４】
図１０は、連携制御装置３０を、設定用カードによる動作モードの切り替え可能な構成とした場合における扉情報をデータベース３６に設定する処理動作を簡単に示したタイミングチャートである。
【００９５】
入室用カードリーダ１１、または退室用カードリーダ１２に、システム設定者によって、ＩＣカード３が翳されると、入退室管理システム２のコントロールユニット１３は、ＩＣカード３から読み出されたカードＩＤの認証処理を実行し、認証がなされたことに応じて、図１０に示すようにカードＩＤ、扉情報を含む入退室情報を入退室情報受信Ｉ／Ｆ３１を介して連携制御装置３０に送信する（ステップＳ６１）。連携制御装置３０に送信された入退室情報は、運用・設定切替部３３に渡される（ステップＳ６２）。
【００９６】
運用・設定切替部３３は、データベース３６の設定用カード情報記憶部３６Ｂを参照し（ステップＳ６３）、取得したカードＩＤが設定用カードＩＤであるかどうかを判断する（ステップＳ６４）。
【００９７】
運用・設定切替部３３は、取得したカードＩＤが設定用カードＩＤであることに応じて、入退室情報に含まれる扉情報を情報書込判断部３４に渡す（ステップＳ６５）。情報書込判断部３４は、送信された扉情報を登録するのか、削除するのかを判断して、データベース３６に対する設定処理を実行する（ステップＳ６６）。
【００９８】
これに対し、図１１は、連携制御装置３０を、設定用カードによる動作モードの切り替え可能な構成とした場合における複合機ＩＤをデータベース３６に設定する際の処理動作を簡単に示したタイミングチャートである。
【００９９】
複合機用カードリーダ２２に、システム設定者によってＩＣカード３が翳されると、複合機用カードリーダ２２は、ＩＣカード３からカードＩＤを読み出し、複合機２１に送信する。複合機２１は、送信されたカードＩＤと、自身を一意に特定する複合機ＩＤとを含む認証要求情報を認証情報送受信Ｉ／Ｆ３２を介して連携制御装置３０に送信する（ステップＳ７１）。連携制御装置３０に送信された認証要求情報は、運用・設定切替部３３に渡される（ステップＳ７２）。
【０１００】
運用・設定切替部３３は、データベース３６の設定用カード情報記憶部３６Ｂを参照し（ステップＳ７３）、取得したカードＩＤが設定用カードＩＤであるかどうかを判断する（ステップＳ７４）。
【０１０１】
運用・設定切替部３３は、取得したカードＩＤが設定用カードＩＤであることに応じて、認証要求情報に含まれる複合機ＩＤを情報書込判断部３４に渡す（ステップＳ７５）。情報書込判断部３４は、送信された認証要求情報に含まれる複合機ＩＤを登録するのか、削除するのかを判断して、データベース３６に対する設定処理を実行する（ステップＳ７６）。
【０１０２】
続いて、図１２に示すフローチャートを用いて、連携制御装置３０を、設定用カードによる動作モードの切り替え可能な構成とした場合における扉情報をデータベース３６に設定する際の処理動作について詳細に説明をする。なお、図１２に示すフローチャートは、図８に示すフローチャートのステップＳ２１、ステップＳ２２、ステップＳ２７乃至ステップＳ３１に代えて、ステップＳ８１乃至ステップＳ８３としただけであるため、重複する処理ステップについては同一ステップ番号を付して説明を省略する。
【０１０３】
まず、連携制御装置３０は、入退室管理システム２から送信される入退室情報を受信すると（ステップＳ８１）、入退室情報に含まれるカードＩＤをキーとして設定用カード情報記憶部３６Ｂを参照し、設定用カードＩＤであるかどうかを判断する（ステップＳ８２）。設定カードＩＤである場合には、ステップＳ８３へと処理を進める一方、そうでない場合には、ステップＳ２３へと処理を進める。
【０１０４】
連携制御装置３０の運用・設定切替部３３は、取得したカードＩＤが設定用カードＩＤであることに応じて、当該連携制御装置３０の動作モードを設定モードへと切り替える。そして、連携制御装置３０は、取得した設定用カードＩＤに含まれる情報から、設定情報である扉情報を登録するか、削除するのかを判断する（ステップＳ８３）。連携制御装置３０は、扉情報を登録する場合には、ステップＳ３２へと処理を進める一方、扉情報を削除する場合には、ステップＳ３５へと処理を進める。
【０１０５】
次に、図１３に示すフローチャートを用いて、連携制御装置３０を設定用カードによる動作モードの切り替え可能な構成とした場合における複合機ＩＤをデータベース３６に設定する際の処理動作について詳細に説明をする。なお、図１３に示すフローチャートは、図９に示すフローチャートのステップＳ４１、ステップＳ４２、ステップＳ４８乃至ステップＳ５０に代えて、ステップＳ９１乃至ステップＳ９３としただけであるため、重複する処理ステップについては同一ステップ番号を付して説明を省略する。
【０１０６】
まず、連携制御装置３０は、複合機２１から送信される認証要求情報を受信すると（ステップＳ９１）、認証要求情報に含まれるカードＩＤをキーとして設定用カード情報記憶部３６Ｂを参照し、設定用カードＩＤであるかどうかを判断する（ステップＳ９２）。設定カードＩＤである場合には、ステップＳ９３へと処理を進める一方、そうでない場合には、ステップＳ４３へと処理を進める。
【０１０７】
連携制御装置３０の運用・設定切替部３３は、取得したカードＩＤが設定用カードＩＤであることに応じて、当該連携制御装置３０の動作モードを設定モードへと切り替える。そして、連携制御装置３０は、取得した設定用カードＩＤに含まれる情報から、設定情報である複合機ＩＤを登録するか、削除するのかを判断する（ステップＳ９３）。連携制御装置３０は、複合機ＩＤを登録する場合には、ステップＳ５２へと処理を進める一方、複合機ＩＤを削除する場合には、ステップＳ５３へと処理を進める。
【０１０８】
このように、設定用カードを用いることで、連携制御装置３０の動作モードを運用モードから設定モードへと設定処理の現場にて切り替えることができるため、連携制御装置３０の設定作業をさらに容易なものとすることができる。
【０１０９】
［所定のルールに従い設定対象となるセキュリティ管理領域を変更する手法］
上述した、図８、図９では、設定情報を設定する設定対象となるセキュリティ管理領域を変更するために、特殊なＩＣカード３である部屋変更用カードを用いていた。これに代えて、このような特殊なＩＣカード３である部屋変更用カードを用いなくとも設定情報を設定する設定対象となるセキュリティ管理領域を変更することができる手法を以下に示す。
【０１１０】
連携制御装置３０は、設定情報である扉情報と複合機ＩＤの登録の順序をトリガーとして、設定情報を設定する設定対象となるセキュリティ管理領域を所定のルールに従って自動的に変更するようにしている。
【０１１１】
例えば、セキュリティ管理領域である部屋Ａ、Ｂ、Ｃ、Ｄ…の設定情報を設定する場合を考える。まず、設定情報を設定するセキュリティ管理領域の順番を部屋Ａ→部屋Ｂ→部屋Ｃ→部屋Ｄ…と決めておく。そして各セキュリティ管理領域における扉情報、複合機ＩＤの設定順序を、例えば、複合機ＩＤ→扉情報→扉情報というように決めると、部屋Ａに対する扉情報の設定がなされた後に複合機ＩＤの設定がなされると、連携制御装置３０は、これをトリガーとして設定情報を設定するセキュリティ管理領域を部屋Ｂへと自動的に切り替える。
【０１１２】
図１４に示すフローチャートを用いて、この切り替え処理動作について説明をする。なお、この切り替え処理動作を実行するにあたり、連携制御装置３０は、なんらかの手法によって動作モードを設定モードへと切り替えられているものとする。
【０１１３】
まず、連携制御装置３０は、複合機２１から送信される認証要求情報を受信したかどうか判断し（ステップＳ１０１）、認証要求情報を受信した場合には、直前に実行された設定処理が扉情報の設定処理かどうかを判断する（ステップＳ１０２）。認証要求情報を受信しなかった場合には、ステップＳ１０６へと処理を進める。
【０１１４】
直前に実行された設定処理が扉情報の設定処理である場合には、設定対象となるセキュリティ管理領域である部屋を変更し（ステップＳ１０３）、そうでない場合にはステップＳ１０４へと処理を進める。
【０１１５】
続いて、連携制御装置３０は、認証要求情報に含まれる複合機ＩＤが機器設定記憶部３６Ｆに登録されているかどうか判断し（ステップＳ１０４）、既に登録されている場合にはステップＳ１０６へと処理を進める一方、まだ登録されていない場合には複合機ＩＤを機器設定記憶部３６Ｆに登録してデータベース３６を更新する（ステップＳ１０５）。
【０１１６】
次に、連携制御装置３０は、入退室管理システム２から送信される入退室情報を受信したかどうか判断し（ステップＳ１０６）、受信した場合には、ステップＳ１０７へと処理を進める一方、受信しなかった場合には、ステップＳ１０１へと処理を戻す。連携制御装置３０は、入退室情報を受信した場合には、入退室情報に含まれる扉情報が扉情報記憶部３６Ｅに記憶されているかどうかを判断し、既に登録されている場合にはステップＳ１０１へと処理を戻す一方、まだ登録されていない場合には扉情報を扉情報記憶部３６Ｅに登録してデータベース３６を更新する（ステップＳ１０８）。
【０１１７】
このように連携制御装置３０は、扉情報の設定処理の後に複合機ＩＤの設定処理が実行されることをトリガーとして、設定対象となるセキュリティ管理領域を所定のルールに従って自動的に変更する。また、複合機ＩＤの設定処理の後に扉情報の設定処理が実行されることをトリガーとして設定対象となるセキュリティ管理領域を所定のルールに従って自動的に変更することもできる。
【０１１８】
これにより、設定情報を設定する設定対象となるセキュリティ管理領域を変更する特殊なＩＣカード３である部屋変更用カードをわざわざ用意しなくとも、設定情報を設定する設定対象となるセキュリティ管理領域を容易に変更することができる。
【０１１９】
［誤って登録されて設定情報を削除する手法］
上述したように連携制御装置３０は、データベース３６に一旦登録された設定情報を削除する場合には、登録時と同様の処理動作をわざわざ実行する必要があった。しかしながら、設定処理を実行している最中に設定情報を誤って登録してしまったことに気付いた場合など、迅速に削除処理を実行したいといった要求がある。
【０１２０】
このような要求に応えるため、連携制御装置３０は、扉情報を削除する場合、所定の時間内に少なくとも２回以上、入退室管理システム２による認証処理を行い、同一の入退室情報を所定の時間内に受信したことに応じて、このとき取得される入退室情報に含まれる扉情報が扉情報記憶部３６Ｅに記憶されている場合に、この扉情報を削除することができるように構成される。
【０１２１】
図１５に示すフローチャートを用いて、扉情報を削除する削除処理動作について説明をする。
【０１２２】
まず、連携制御装置３０は、入退室管理システム２から送信される入退室情報受信すると（ステップＳ１１１）、現在の動作モードが設定モードであるかどうかを判断する（ステップＳ１１２）。現在の動作モードが設定モードである場合には、ステップＳ１１３へと処理を進める一方、設定モードでない場合には、運用モードであるとしてステップＳ１１１へと処理を戻す。
【０１２３】
現在の動作モードが設定モードであることに応じて、連携制御装置３０は、所定の時間内に同一の入退室情報を受信したかどうか判断する（ステップＳ１１３）。連携制御装置３０は、所定の時間内に同一の入退室情報を受信した場合には、まず、この入退室情報に含まれる扉情報が扉情報記憶部３６Ｅに登録されているかどうかを判断し（ステップＳ１１４）、まだ登録されていない場合にはステップＳ１１１へと処理を戻す一方、既に登録されている場合には扉情報を扉情報記憶部３６Ｅから削除する（ステップＳ１１５）。
【０１２４】
また、連携制御装置３０は、所定の時間内に同一の入退室情報を受信しなかった場合には、入退室情報に含まれる扉情報を、扉情報記憶部３６Ｅに登録する（ステップＳ１１６）。
【０１２５】
また、上述した要求に応えるため、連携制御装置３０は、複合機ＩＤを削除する場合、所定の時間内に少なくとも２回以上、複合機２１から認証処理要求をして、同一の認証要求情報を所定の時間内に受信したことに応じて、このとき取得される認証要求情報に含まれる複合機ＩＤが機器設定記憶部３６Ｆに記憶されている場合に、この扉情報を削除することができるように構成される。
【０１２６】
図１６に示すフローチャートを用いて、複合機ＩＤを削除する削除処理動作について説明をする。
【０１２７】
まず、連携制御装置３０は、複合機２１から送信される認証要求情報を受信すると（ステップＳ１２１）、現在の動作モードが設定モードであるかどうかを判断する（ステップＳ１２２）。現在の動作モードが設定モードである場合には、ステップＳ１２３へと処理を進める一方、設定モードでない場合には、運用モードであるとしてステップＳ１２１へと処理を戻す。
【０１２８】
現在の動作モードが設定モードであることに応じて、連携制御装置３０は、所定の時間内に同一の認証要求情報を受信したかどうか判断する（ステップＳ１２３）。連携制御装置３０は、所定の時間内に同一の認証要求情報を受信した場合には、まず、この認証要求情報に含まれる複合機ＩＤが機器設定記憶部３６Ｆに登録されているかどうかを判断し（ステップＳ１２４）、まだ登録されていない場合にはステップＳ１２１へと処理を戻す一方、既に登録されている場合には複合機ＩＤを機器設定記憶部３６Ｆから削除する（ステップＳ１２５）。
【０１２９】
また、連携制御装置３０は、所定の時間内に同一の認証要求情報を受信しなかった場合には、認証要求情報に含まれる複合機ＩＤを、機器設定記憶部３６Ｆに登録する（ステップＳ１２６）。
【０１３０】
これにより、連携制御装置３０は、データベース３６に一旦登録された設定情報を削除する場合には、登録時と同様の処理動作をわざわざ実行することなく、例えば、設定処理を実行している最中に設定情報を誤って登録してしまったことに気付いた場合などにおいて、迅速に削除処理を実行することができる。
【０１３１】
［扉情報の別な設定処理動作］
次に、図１７に示すように、複合機２１、複合機用カードリーダ２２、ＰＣ２３を備えていないセキュリティ管理領域を含む場合における連携制御システム１を例として、連携制御装置３０の設定モード時の別な処理、具体的には、システム設定者によって指定される所定の扉情報を設定する際の処理について説明をする。図１７に示すように、セキュリティレベルの最も高いレベル２（Ｌｖ２）のセキュリティ管理領域である部屋Ｂには、複合機２１、複合機用カードリーダ２２、ＰＣ２３が備えられていない。また、図１７に示すように、連携制御装置３０には、設定用端末機４０が接続されており、システム設定者は、当該設定用端末機４０に表示されるＷｅｂ画面を参照しながら、各セキュリティ管理領域に対応する所望の扉情報を設定していくことになる。この設定用端末機４０は、上述したシステム設定者によって任意に用意されるＰＣであり、どのセキュリティ管理領域に設置してもよいし、入退室管理システム２の管理管轄外に設置するようにしてもよい。
【０１３２】
続いて、図１８に示すフローチャートを用いて連携制御装置３０が、システム設定者によって指定される所定の扉の扉情報をデータベース３６に設定する際の処理動作について詳細に説明をする。なお、図１８に示すフローチャートは、上述した図８に示すフローチャートのステップＳ２１、Ｓ２２間にステップＳ２０１、Ｓ２０２を、ステップＳ３１、Ｓ３２間にステップＳ２０３を挿入しだけであるので、それ以外の処理ステップについては同一符号を付して説明を省略し、必要に応じて新たな説明を付加する。
【０１３３】
ステップＳ２０１において、連携制御装置３０は、入退室管理システム２から送信される入退室情報を受信すると、動作モードの遷移処理、つまり運用モードから設定モードへの遷移処理がなされたか、又は設定モードから運用モードへの遷移処理がなされたかどうかを判断する。
【０１３４】
連携制御装置３０は、動作モードの遷移処理がなされた場合、ステップＳ２２へと処理を進める一方、動作モードの遷移処理がなされなかった場合、ステップＳ２０２へと処理を進める。
【０１３５】
ステップＳ２０２において、連携制御装置３０は、動作モードが運用モードから設定モードへと遷移して設定モードがオン（ＯＮ）状態となったのか、設定モードから運用モードへと遷移して設定モードがオフ（ＯＦＦ）状態となったのかといった動作モードの遷移処理を識別する。そして、ステップＳ２２において、連携制御装置３０は、現在の動作モードが設定モード状態、つまり設定モードがオン状態であるかどうかを判断する。
【０１３６】
ステップＳ２０３において、連携制御装置３０は、扉情報を登録する設定モードの場合、入退室情報に含まれる扉情報が、登録することを目指しているターゲットとなる所定の扉の扉情報であるかどうかを判断する。連携制御装置３０は、所定の扉の扉情報である場合には、ステップＳ３２へと処理を進める一方、所定の扉の扉情報でない場合にはステップＳ２１へと処理を戻す。登録するターゲットとなる所定の扉は、システム設定者によって、設定用端末機４０を介して指定することが可能である。例えば、図示しない入力用のＷｅｂ画面から、“部屋Ａ／部屋Ｂ”と入力することで部屋Ａと部屋Ｂとを仕切る扉を指定することができる。
【０１３７】
また、上述したように、システム設定者は、登録する所定の扉を設定用端末機４０を介して直接指定する変わりに、設定用端末機４０が備えられているセキュリティ管理領域、つまり設定モードを開始するシステム設定者の位置からターゲットとなる扉に到達するまでに通過する扉数を入力するようにしてもよい。
【０１３８】
このように、ターゲットとなる扉に到達するまでに通過する扉数を入力する場合、設定用端末機４０には、例えば、図１９に示すようなＷｅｂ画面が表示される。まず、システム設定者によって、図１９に示すＷｅｂ画の領域Ｆ１の部屋名称に設定対象となるセキュリティ管理領域を特定する部屋名称を入力する。そして、Ｗｅｂ画面の領域Ｆ２の扉情報設定において、扉情報記憶部３６Ｅに新たに扉情報を登録する登録設定をすることを指定する。そして、領域Ｆ２ａの登録部屋までの扉数において、ターゲットとなる扉に到達するまでに通過する扉数（ここでは、２とする）を入力する。
【０１３９】
このように、ターゲットとなる扉に到達するまでに通過する扉数を入力する場合には、図１８に示すフローチャートのステップＳ２０３において、連携制御装置３０は、扉情報を確認する度に通過した扉の数をインクリメントしていき通過扉数をカウントする。このカウント数が、図１９に示すＷｅｂ画面の領域Ｆ２ａに入力した数と一致するかどうかを判断し、一致した場合にはステップＳ３２へと処理を進める一方、一致しなかった場合にはステップＳ２１へと戻る。
【０１４０】
このようにして、システム設定者が所望する任意の扉（所定の扉）の扉情報の設定作業をシステム設定者による煩雑な入力作業をすることなく、容易に行うことができるため、連携制御装置の設定作業をさらに容易なものとすることを可能とする。
【０１４１】
（扉情報記憶部３６Ｅのテンポラリー領域について）
ところで、データベース３６が備える扉情報記憶部３６Ｅは、扉情報を一時的に記憶する記憶領域であるテンポラリー領域を有するようにしてもよい。このように、扉情報記憶部３６Ｅにテンポラリー領域を用意した場合、連携制御装置３０は、まず、テンポラリー領域に扉情報を一時的に記憶させてから、所定の判断処理を実行し扉情報を扉情報記憶部３６Ｅに最終的に記憶させることになる。
【０１４２】
このように、扉情報記憶部３６Ｅにテンポラリー領域を用意した場合、扉情報は、まず、扉情報記憶部３６Ｅのテンポラリー領域に一旦記憶される。そして、ステップＳ３１において、設定モードが扉情報を登録する登録モードであった場合、ステップＳ２０３の判断処理、ステップＳ３２の扉情報記憶部３６Ｅのテンポラリー領域に記憶されている扉情報と最終的な扉情報としてテンポラリー領域とは異なる記憶領域に既に記憶されている扉情報との比較による判断処理の後、ステップＳ３４において、扉情報記憶部３６Ｅのテンポラリー領域に一時的に記憶されていた扉情報をテンポラリー領域とは異なる扉情報記憶部３６Ｅの記憶領域に記憶させる。
【０１４３】
なお、以下の説明においては、扉情報記憶部３６Ｅには、テンポラリー領域が用意されているものとする。
【０１４４】
（複数のセキュリティ管理領域から新たなセキュリティ管理領域を形成する設定処理）
続いて、図２０に示すフローチャートを用いて、異なるセキュリティ管理領域を同一のセキュリティ管理領域とするような設定処理動作について説明をする。図１７に示すように、部屋Ｂ、部屋Ｃのセキュリティレベルは、それぞれレベル２（Ｌｖ２）、レベル１（Ｌｖ１）というように、互いに異なったセキュリティレベルである。このようにセキュリティレベルが異なったセキュリティ管理領域であっても、セキュリティレベルの高い領域、例えば、図１７に示す例では、部屋Ｂに複合機２１が設定されていない場合には、少なくとも複合機２１に関するセキュリティへの配慮をする必要性がなくなる。
【０１４５】
このような場合、異なるセキュリティレベル、例えば、部屋Ｂと部屋Ｃとのセキュリティレベルを同等に扱うように入退室管理システム２の設定を変更し、部屋Ｂと部屋Ｃとを１つの部屋、つまり同一のセキュリティレベルとした新たなセキュリティ管理領域を形成することができる。
【０１４６】
言い換えれば、上位のセキュリティレベルのセキュリティ管理領域に情報処理機器が存在しない場合、上位のセキュリティレベルのセキュリティ管理領域に対して下位に相当するセキュリティレベルのセキュリティ管理領域とを１つのセキュリティ管理領域として設定処理することで、新たなセキュリティ管理領域を形成することができる。
【０１４７】
このように、複数のセキュリティ管理領域から同一のセキュリティレベルとなる新たなセキュリティ管理領域を形成する場合、図１８に示すフローチャートのステップＳ３２において、扉情報が登録されていると判断されると、図２０に示すフローチャートの処理を実行することになる。
【０１４８】
まず、図２０に示すように、ステップＳ２５１において、連携制御装置３０は、扉情報に含まれる入室か退室かを示す情報を解析する。
【０１４９】
そして、ステップＳ２５２において、連携制御装置３０は、データベース３６の扉情報記憶部３６Ｅに既に記憶されている扉ＩＤが同一となる扉情報に含まれる入室か退室かを示す情報と、ステップＳ２５１で解析した扉情報に含まれる入室か退室かを示す情報とを比較し、一致する場合にはステップＳ２１へと処理を進める一方、一致しなかった場合にはステップＳ２５３へと処理を進める。
【０１５０】
つまり、システム設定者は、所定の扉、例えば、部屋Ｂと部屋Ｃとを１つの部屋、つまり同一のセキュリティレベルとした新たなセキュリティ管理領域を形成しようとした場合、図１８のステップＳ２１〜ステップＳ２０３を実行することで、一旦、データベース３６の扉情報記憶部３６Ｅに扉ＩＤを入室側、または退室側から登録する動作をし、部屋Ｂ→部屋Ｃ、または部屋Ｃ→部屋Ｂのように移動する。
【０１５１】
次に、システム設定者は、意図的に、同一の扉ＩＤを登録するような動作を実行する。具体的には、システム設定者は、部屋を移動しているため、入室側から扉ＩＤを登録した場合には退室側から同一の扉ＩＤを登録する動作をし、退室側から扉ＩＤを登録した場合には入室側から同一の扉ＩＤを登録する動作をする。このような動作が実行されたことに応じて、連携制御装置３０は、この扉ＩＤの扉の扉情報を扉情報記憶部３６Ｅから削除することで、上述したような部屋Ｂと部屋Ｃとを１つの部屋、つまり同一のセキュリティレベルとした新たなセキュリティ管理領域を形成するために不要となる扉であると認識することになる。
【０１５２】
ステップＳ２５３において、連携制御装置３０は、操作された対象となる扉情報をデータベース３６の扉情報記憶部３６Ｅから削除する。
【０１５３】
このようにして、相異なるセキュリティレベルの複数のセキュリティ管理領域を同等のセキュリティレベルのセキュリティ管理領域とした新たなセキュリティ管理領域を形成する設定処理を非常に簡便な手法で容易に実現することができる。  
（扉数を設定することによる扉情報の設定）
続いて、各セキュリティ管理領域に対して扉数を設定することで順に扉情報を設定していく設定処理動作について説明をする。例えば、図１７に示すような連携制御システム１が構成されているとすると、上述した、図１８に示すフローチャートにおいて、ステップＳ３４の処理終了後、図２１に示すフローチャートを実行することで、設定対象となるセキュリティ管理領域毎に扉情報を設定することができる。
【０１５４】
このように、各セキュリティ管理領域に対して扉数を設定することで順に扉情報を設定していく設定処理動作では、図１７に示す設定用端末機４０に、図２２に示すようなＷｅｂ画面が表示されることになる。図２２に示すように、設定用端末機４０に表示されるこのＷｅｂ画面の領域Ｆ２には、扉情報設定において、上述したように登録設定をするのか、削除設定をするのかを指定する領域の他に、セキュリティ管理領域である各部屋の登録順と当該部屋毎に登録する扉数とを指定する領域Ｆ２ｂが設けられている。図２２に示すように、ここでは、登録設定が選択され、部屋Ｃ→部屋Ｂ→部屋Ａの順でそれぞれ２枚の扉を設定するものとする。このように、システム管理者によって入力がなされると、図１８に示すフローチャート、そして、図１８に示すフローチャートのステップＳ３４終了後に、図２１に示すフローチャートが実行されることになる。
【０１５５】
なお、図２１に示すフローチャートが実行される前提として、登録対象となる部屋に対応付けて所定の扉を登録するには、システム管理者が存在している部屋の内側に設置されている入室用カードリーダ１１又は退室用カードリーダ１２を操作した場合に有効になるものとする。したがって、登録対象の部屋の外側に設置されている入室用カードリーダ１１又は退室用カードリーダ１２を操作しても、所定の扉を登録対象となる部屋に対応付けて登録することはできない。
【０１５６】
ただし、最初に所定の扉を登録する作業を、システム管理者が、レベル０（Ｌｖ０）のセキュリティ管理領域に存在しており、このレベル０（Ｌｖ０）よりも高いセキュリティレベルのセキュリティ管理領域である登録対象となる部屋へと入室する場合とし、この場合を例外として、登録対象となる部屋の外側に設置されているカードリーダである入室用カードリーダ１１を操作したことに応じて所定の扉を登録対象となる部屋に対応付けて登録することができるものとする。
【０１５７】
まず、図２１に示すように、部屋の内側に設けられた入室用カードリーダ１１又は退室用カードリーダ１２によって、ユーザが所有するＩＣカード３が読み取られたことに応じて、連携制御装置３０は、扉数のカウント値を１だけインクリメントする（ステップＳ３０１）。連携制御装置３０は、設定用端末機４０を介して指定された当該部屋への登録扉数が、ステップＳ３０１でインクリメントされたカウント値と一致するかどうかを判断する。連携制御装置３０は、登録扉数とカウント値とが一致した場合、ステップＳ３０３へと処理を進める一方、一致しなかった場合、ステップＳ２１へと処理を戻す（ステップＳ３０２）。
【０１５８】
連携制御装置３０は、設定用端末機４０を介して指定された登録対象の部屋が残っているかどうかを判断する。連携制御装置３０は、ステップＳ３０３において、登録対象の部屋が残っている場合には登録対象の部屋を変更、例えば、図２２に示す例では、部屋Ｃから部屋Ｂというように変更する一方（ステップＳ３０４）、登録対象の部屋が残っていない場合には、当該連携制御装置３０の動作モードを設定モードから運用モードへと切り替える（ステップＳ３０５）。
【０１５９】
連携制御装置３０は、ステップＳ３０４、ステップＳ３０５の処理が終了するとステップＳ２１へと処理を戻す。このとき、図２２に示す例のように、設定用端末機４０を介して部屋Ｃ→部屋Ｂ→部屋Ａの順で２枚の扉が設定されている場合には、全ての扉の設定が終了するまで、図１８、図２１に示すステップＳ２１乃至ステップＳ３０４の処理ステップを繰り返すことになる。
【０１６０】
このようにして、連携制御装置３０は、システム設定者が所望する複数のセキュリティ管理領域の扉情報の登録を非常に簡便な手法にて、容易に行うことができるため、連携制御装置３０の設定作業をさらに容易なものとすることを可能とする。
【０１６１】
以上のように、本実施の形態に係る発明では、設定処理手段は、任意に指定された所定の扉の扉情報の扉情報記憶手段に対する設定処理を実行することを特徴とする。
【０１６２】
これにより、システム設定者が所望する任意の扉（所定の扉）の扉情報の設定作業をシステム設定者による煩雑な入力作業をすることなく、容易に行うことができるため、連携制御装置の設定作業をさらに容易なものとすることを可能とする。
【０１６３】
また、  設定処理手段は、所定の扉を当該所定の扉に到達するまでに通過する扉数をカウントすることで認識することを特徴とする。
【０１６４】
これにより、システム設定者が所望する任意の扉（所定の扉）の扉情報の設定作業をシステム設定者による煩雑な入力作業をすることなく、容易に行うことができるため、連携制御装置の設定作業をさらに容易なものとすることを可能とする。
【０１６５】
また、設定処理手段は、上位のセキュリティレベルのセキュリティ管理領域に情報処理機器が存在しない場合、前記上位のセキュリティレベルのセキュリティ管理領域に対して下位に相当するセキュリティレベルのセキュリテ管理領域とを１つのセキュリティ管理領域として設定処理することを特徴とする。
【０１６６】
これにより、相異なるセキュリティレベルの複数のセキュリティ管理領域を同等のセキュリティレベルのセキュリティ管理領域とした新たなセキュリティ管理領域を形成する設定処理を非常に簡便な手法で容易に実現することができる。
【０１６７】
さらに、設定処理手段は、設定対象となるセキュリティ管理領域毎に指定される扉数に基づき、扉情報の扉情報記憶手段に対する設定処理をすることを特徴とする。
【０１６８】
これにより、システム設定者が所望する複数のセキュリティ管理領域の扉情報の登録を非常に簡便な手法にて、容易に行うことができるため、連携制御装置の設定作業をさらに容易なものとすることを可能とする。
【０１６９】
なお、本発明の実施の形態において、ユーザは、自身が所有するＩＣカード３に格納されたカードＩＤを被認証情報として用いているが、本発明はこれに限定されるものではなく、ユーザが一意に特定されればよいので、例えば、被認証情報として指紋情報、虹彩情報といった生体情報を用い、生体認証処理を実行することで認証処理を行ってもよい。
【０１７０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【０１７１】
【図１】本発明の実施の形態として示す連携制御システムの構成について説明するための図である。
【図２】前記連携制御システムをセキュリティ管理領域に設置した際の様子を示した図である。
【図３】前記連携制御システムが備える連携制御装置の構成について説明するための図である。
【図４】前記連携制御システムが備える連携制御装置において、カードＩＤ、扉情報を設定する際の処理動作について説明するためのタイミングチャートである。
【図５】前記連携制御システムが備える連携制御装置において扉情報を登録する際にシステム設定者が利用するＷｅｂ画面の一例を示した図である。
【図６】前記連携制御システムが備える連携制御装置において、複合機ＩＤを設定する際の処理動作について説明するためのタイミングチャートである。
【図７】前記連携制御システムが備える連携制御装置のデータベースに設定される設定情報の一例を示した図である。
【図８】前記連携制御システムが備える連携制御装置において、カードＩＤ、扉情報を設定する際の処理動作について説明するためのフローチャートである。
【図９】前記連携制御システムが備える連携制御装置において、複合機ＩＤを設定する際の処理動作について説明するためのフローチャートである。
【図１０】前記連携制御システムが備える連携制御装置において、設定用カードＩＤを用いて扉情報を設定する処理動作について説明するためのタイミングチャートである。
【図１１】前記連携制御システムが備える連携制御装置において、設定用カードＩＤを用いて複合機ＩＤを設定する処理動作について説明するためのタイミングチャートである。
【図１２】前記連携制御システムが備える連携制御装置において、設定用カードＩＤを用いて扉情報を設定する処理動作について説明するためのフローチャートである。
【図１３】前記連携制御システムが備える連携制御装置において、設定用カードＩＤを用いて複合機ＩＤを設定する処理動作について説明するためのフローチャートである。
【図１４】前記連携制御システムが備える連携制御装置において、設定対象となるセキュリティ管理領域を自動的に変更する処理動作について説明するためのフローチャートである。
【図１５】前記連携制御システムが備える連携制御装置において、既に登録されている扉情報を削除する処理動作について説明するためのフローチャートである。
【図１６】前記連携制御システム備えるが連携制御装置において、既に登録されている複合機ＩＤを削除する処理動作について説明するためのフローチャートである。
【図１７】前記連携制御システムを別なセキュリティ管理領域に設置した際の様子を示した図である。
【図１８】前記連携制御システムが備える連携制御装置において、カードＩＤ、扉情報を設定する際の別な処理動作について説明するためのフローチャートである。
【図１９】前記連携制御システムが備える連携制御装置において扉情報を登録する際にシステム設定者が利用するＷｅｂ画面の一例を示した図である。
【図２０】複数のセキュリティ管理領域から新たなセキュリティ管理領域を設定する設定処理動作について説明するためのフローチャートである。
【図２１】セキュリティ管理領域毎に指定される扉数に基づき、扉情報を設定する設定処理動作について説明するためのフローチャートである。
【図２２】前記連携制御システムが備える連携制御装置において扉情報を登録する際にシステム設定者が利用するＷｅｂ画面の一例を示した図である。
【符号の説明】
【０１７２】
１  連携制御システム
２  入退室管理システム
３  ＩＣカード
１１  入室用カードリーダ
１２  退室用カードリーダ
１３  コントロールユニット
２１  複合機
２２  複合機用カードリーダ
３０  連携制御装置
３３  運用・設定切替部
３４  情報書込判断部
３６  データベース
３６Ａ  カード情報記憶部
３６Ｂ  設定用カード情報記憶部
３６Ｅ  扉情報記憶部
３６Ｆ  機器設定記憶部
４０…設定用端末機
【図１】
0005175606.tif 000002
【図２】
0005175606.tif 000003
【図３】
0005175606.tif 000004
【図４】
0005175606.tif 000005
【図５】
0005175606.tif 000006
【図６】
0005175606.tif 000007
【図７】
0005175606.tif 000008
【図８】
0005175606.tif 000009
【図９】
0005175606.tif 000010
【図１０】
0005175606.tif 000011
【図１１】
0005175606.tif 000012
【図１２】
0005175606.tif 000013
【図１３】
0005175606.tif 000014
【図１４】
0005175606.tif 000015
【図１５】
0005175606.tif 000016
【図１６】
0005175606.tif 000017
【図１７】
0005175606.tif 000018
【図１８】
0005175606.tif 000019
【図１９】
0005175606.tif 000020
【図２０】
0005175606.tif 000021
【図２１】
0005175606.tif 000022
【図２２】
0005175606.tif 000023